(57)【要約】      （修正有）【課題】  電池電源手段、送信手段及び送信が行われる旨を報知して確認する確認手段を備えた送信装置において、電池電源手段の残存電力が本装置の機能出力に十分か否かを検出する手段の構成が簡単で、その検出のための値が狭い範囲に限定されず、更に、省エネルギータイプである送信装置を目的とする。【解決手段】 送信装置である無線通信装置１は、データ信号が出力される際にその旨を確認的に報知する確認手段３と、電池電源手段４の残存電力が本装置の機能出力に十分か否かを検出する電力検出手段５と、電力検出手段５の結果に基づいて確認手段３に異なる報知内容を出力させるＣＰＵ７を備えて構成した。【選択図】  図２
2005227185.tif 000002
【特許請求の範囲】
【請求項１】
信号の送信を行う手段と、その信号の送信を行う手段が出力する際に、信号の送信を行う手段が出力した旨を確認的に報せる確認手段と、それら信号の送信を行う手段及び確認手段を出力させるための電池電源手段と、その電池電源手段の残存電力が本装置の機能出力に要する電力に対して十分か否かを検出するための電力検出手段が備えられ、
上記電池電源手段の残量電力が本装置の機能出力に要する電力に対して不十分になった場合に信号の送信を行う手段を出力させると、確認手段が電池電源手段の残量電力が本装置の機能出力に要する電力に対して不十分な状態で出力した旨を警告する構成の送信装置。
【請求項２】
確認手段が電池電源手段の残量電力が本装置の機能出力に要する電力に対して不十分になっている状態で出力した旨を警告する構成が、電力検出手段と、電力検出手段と確認手段の間に介在され、電力検出手段が電池電源手段の残量電力が本装置の機能出力に要する電力に対して不十分であると判断する場合に信号の送信を行う手段が出力されると、電池電源手段の残量電力が本装置の機能出力に要する電力に対して十分である場合とは異なった種類の報知を確認手段に出力させるように制御を行うＣＰＵからなる請求項１に記載の送信装置。
【請求項３】
確認手段が、周波数の異なる二種類以上の音声を出力する音声出力手段又は／及び互いに色相の異なる二種類以上のランプ光を点灯する発光する手段である請求項１又は請求項２に記載の信号の送信を行う手段。
【発明の詳細な説明】
【技術分野】
【０００１】
この発明は、電池電源手段が備えられて有線若しくは無線で信号を送信する送信装置に関し、特に、信号を送信した際にその送信した旨が送信者に確認的に報知される構成の送信装置に関する。
【背景技術】
【０００２】
例えばドライブスルーといった飲食店等では、接客係と調理係が遠く隔たっており、接客係が注文を受けるとその注文内容を調理係に伝える際、注文内容を信号の送信によって行う方法が取られている。
この際、送信が確実に行われることが大きな意味を持つことから、送信した際に送信信号が出力した旨を確認的に報知する確認手段を備えた送信装置が知られている。
同じく、救命のための信号を送信する送信装置等でも、送信を確認的に報せる確認手段を備えた送信装置が広く用いられている。
【０００３】
送信信号を出力した際に、その出力した旨を確認的に報知する確認手段を備えた送信装置として、下記の文献が知られている。
【０００４】
【特許文献１】特開２００１−３２０３３６号公報
【発明の開示】
【発明が解決しようとする課題】
【０００５】
送信を行った際にその旨を確認的に報知する確認手段を備えた送信装置として、特開２００１−３２０３３６号公報で開示された発明は、送信確認用ＬＥＤが備えられており送信が行われると発光してその旨が報知される構成になっている。
又、同発明は、電源の電池が使用に伴って電圧が低下して送信に問題が生じることに対し、前記送信確認用ＬＥＤを含んで構成される電池電圧監視回路が備えられ、送信確認用ＬＥＤへの所定印加電圧と電源電池の電圧を比較し、電源電池の電圧が一定以下の場合にはその旨を警告する構成になっている。
【０００６】
しかしながら、特開２００１−３２０３３６号公報で開示された発明は、電源電池の電圧を検出する電池電圧監視回路の構成が複雑であるという問題があった。
又、同発明では、 送信確認用ＬＥＤを備えることが前提となっており、且つ、電源電池の電圧が作動に十分か否かの判定が確認用ＬＥＤの駆動電圧という狭い範囲に限定されるという問題があった。
【０００７】
更に、駆動用としての電池電源手段が備えられ、更に、信号を送信しその送信した旨が送信者に確認的に報知する確認手段及び前記電池電源手段の電力が一定以下になった際にその旨を警告する警告手段を備えて構成される送信装置は、電源電池の電力が一定に限られていることより、電力消費を低く抑えた所謂省エネルギータイプであることが強く求められている。
殊に、例えば、救命のための信号を送信する送信装置では、省エネルギータイプであることがより一層強く求められている。
【０００８】
この発明は、上記の事情に鑑みてなされたものであって、出力源としての電池電源手段を備え、電源電池の電力（電圧）を検出する手段の構成が簡単であって、その電源電池の残り電力（電圧）の検出の値が例えば確認用ＬＥＤの駆動電圧といった狭い範囲に限定されず、更には、省エネルギータイプである送信装置を提供するものである。
【課題を解決するための手段】
【０００９】
この発明は、電池電源手段の残量電力が所定以上又は所定以下で信号の送信を行う手段を出力するとそれぞれに対応して確認手段の出力が異なるように構成の送信装置である。
【００１０】
その詳細な構成は、信号の送信を行う手段と、その信号の送信を行う手段が出力する際に、信号の送信を行う手段が出力した旨を確認的に報せる確認手段と、それら信号の送信を行う手段及び確認手段を出力させるための電池電源手段と、その電池電源手段の残量電力を検出する電力検出手段が備えられ、上記電池電源手段の残量電力が所定以下になった場合に信号の送信を行う手段を出力させると、確認手段が電池電源手段の残量電力が所定以下になっている状態で出力した旨を警告する構成の送信装置である。
【００１１】
ここで、確認手段が電池電源手段の残量電力が所定以下になっている状態で出力した旨を警告する具体的な構成として、電力検出手段と確認手段の間に介在され、電力検出手段が電池電源手段の残量電力が所定以下と判断する場合に信号の送信を行う手段が出力されると、電池電源手段の残量電力が所定以上である際とは異なった種類の報知を確認手段に出力させるように制御を行うＣＰＵからなるものが挙げられる。
【００１２】
又、確認手段は具体的に、二種類以上の音声を出力する音声出力手段又は／及び二種類以上のランプ光を点灯する発光手段が挙げられる。
【発明の効果】
【００１３】
この発明は、データ信号を送信する際にその旨を報知して確認する確認手段を備え、且つ、その確認手段の出力が装置の機能出力に対する電池電源手段の残存電力によって異なるように構成したことにより、電池電源手段の残存電力を検出する手段の構成が簡便であり、その残存電力の検出の値が狭い範囲に限定されることがなく、更に、確認手段と電池電源手段の残存電力の報知を共用するので省エネルギータイプになっている送信装置である。
【発明を実施するための最良の形態】
【００１４】
この発明を、図面と共に以下に詳述する実施例に基づいて説明する。しかし、この実施例によって、この発明が限定されるものではない。
【００１５】
送信装置である無線通信装置１は、図１〜図２に示すように、送受信手段２と、確認手段３と、電池電源手段４と、電力検出手段５と、操作部６と、ＣＰＵ７が備えられている。
【００１６】
無線通信装置１は、接客係が客からの注文を受けて、その内容を離れた場所に居る調理担当者に無線で報せるための装置である。
【００１７】
送受信手段２は、接客係が注文を受けて離れた場所に居る調理担当者に前記注文の内容を信号で無線送信する機能と、その送信した信号が調理担当者側の通信装置（図示省略）に着信してその通信装置が着信された旨を確認的に信号で送り返して来る信号を受信する機能が備えられている。
【００１８】
確認手段３は、送受信手段２から信号が送信される際に、操作者に送受信手段２から信号が送信された旨を確認的に報せるものである。
確認手段３は具体的には、報知のブザー音声を出力する音声出力器３ａと音声出力器３ａを出力させるドライバ３ｂから主に構成されている。
【００１９】
確認手段３は、更に、送受信手段２が調理担当者の側の通信装置に信号を送信し、その信号が着信したことに対して着信した旨の信号を無線通信装置１に確認的に送り返して来た際にその無線通信装置１の側で確認的に送り返して来た信号の受信を報せる機能が備えられている。
【００２０】
電池電源手段４は、無線通信装置１の各出力手段つまり送受信手段２、確認手段３、操作部６等に機能出力のための電力を供給するものである。
電池電源手段４は、電池、電池ホルダー、接続端子（以上、図示省略）等から構成されている。
尚、電池電源手段４の電池は、一次電池であってもよく、二次電池であってもよい。
【００２１】
電力検出手段５は、電池電源手段４の現時点の電力（残留電力）を検出するものである。
電力検出手段５は具体的に、電池電源手段４の電池の電圧を検出する電圧検出器８と、比較電圧値が記憶されているＣＰＵ７のメモリ７ａと、電圧検出器８での検出値とメモリ７ａの値を比較するＣＰＵ７の演算処理部７ｂを備えて構成され、演算処理部７ｂの検出結果である電圧から電池電源手段４の値から現時点の電力つまり残量電力が無線通信装置１の機能出力に十分であるか否かを検出する構成になっている。
【００２２】
操作部６は、無線通信装置１全体の起動を行い、更に、調理担当者の側の上記通信装置に送りたい内容（注文内容）を入力するためのものである。
操作部６には、メインスイッチ、操作用のキー群及び表示パネル（以上、図示省略）が備えられている。
【００２３】
ＣＰＵ７は、操作部６から操作信号を入力すると、演算処理部７ｂがその操作信号に基づいて電力検出手段５に電池電源手段４のその時の残留電力を検出させ、その検出結果を周波数設定部７ｃに送り、結果的に、音声出力器３ａを起動させるための信号を出力するものである。
又、ＣＰＵ７は、操作部６から操作信号を入力すると、電力検出手段５の検出結果を周波数設定部７ｃに送ってから、上記操作信号に含まれている注文内容を示すデータ信号を送信するように送受信手段２に出力するものである。
【００２４】
ＣＰＵ７は更に、送受信手段２から注文内容を示すデータ信号が出力され、調理担当者側の通信装置から注文内容を示すデータ信号の受信したことを示す確認信号が送り返され、送受信手段２がその確認信号を受信すると、演算処理部７ｂが送受信手段２からの確認信号に基づいて電力検出手段５に電池電源手段４のその時の残留電力を検出させ、その検出結果を周波数設定部７ｃに送り、結果的に、音声出力器を起動させるための信号を出力するものである。
【００２５】
無線通信装置１は、上述したように構成されている。
以下において、無線通信装置１の動作を説明する。
【００２６】
接客係である操作者は、最初に操作部６の上記メインスイッチを操作して、無線通信装置１を出力可能な状態にする。
ここで、お客から注文を受けると、操作部６の上記表示パネルを見ながらその注文の内容、接客係担当者番号、テーブル番号等を示すデータ信号を調理担当者側の上記通信装置に送るように操作部６を操作する。
【００２７】
ここで、ＣＰＵ７が操作部６から上記データ信号を調理担当者側の上記通信装置に送るための命令信号を受け取ると、電池電源手段４の残存電力が無線通信装置１の機能に十分であるか否かを電力検出手段５が検出するようにＣＰＵ７が機能する。
つまり、電圧検出器８が電池電源手段４の電圧を検出してその値を演算処理部７ｂに送ると、演算処理部７ｂは電圧検出器８からの検出値とメモリ７ａに記憶されている電圧値を比較する。
【００２８】
その比較結果によって、検出された値の方が記憶されている電圧値よりも大きい場合には、つまり、電池電源手段４のその時の電圧がメモリ７ａに記憶されている電圧よりも高い場合にその高いということに基づいて、電池電源手段４の残留電力が無線通信装置１の機能出力に問題がないと判断し、演算処理部７ｂから確認手段３が高い周波数に設定されて出力するための命令信号が出力される。  
周波数設定部７ｃは、演算処理部７ｂから高い周波数の音声出力の命令信号を受けると、確認手段３のドライバ３ｂに４０００Ｈｚの音声を出力するための信号を送る。
【００２９】
確認手段３では、ドライバ３ｂが周波数設定部７ｃから４０００Ｈｚの音声を出力する旨の命令信号を受けると、音声出力器３ａに４０００Ｈｚの音声出力のドライブ信号を出力する。
ここで、音声出力器３ａは４０００Ｈｚの音声を出力する。よって、操作者はその４０００Ｈｚの音声を聞いて、自分の行ったデータ信号送信のための操作が機能したことを確認することができる。
又、操作者はその操作確認の音声が４０００Ｈｚの高い音声であることから、電池電源手段４の電力が無線通信装置１の機能の出力に対して十分であることを知ることができる。
【００３０】
他方、ＣＰＵ７の演算処理部７ｂは、周波数設定部７ｃに確認手段３の機能を出力させるための命令信号を送った後、操作部６からの注文内容等を示すデータ信号を送信するように送受信手段２に命令信号を出力する。
ここで、送受信手段２は、ＣＰＵ７の演算処理部７ｂから斯かる命令信号を受けて、注文内容等を示すデータ信号を調理担当者側の上記通信装置に送信する。
【００３１】
調理担当者側の上記通信装置は、無線通信装置１から注文内容等を示すデータ信号を受信すると、注文内容、接客係担当者番号、テーブル番号等の受信データ、受信時間等を紙片にプリントアウトする。
ここで、調理担当者は、接客係の受けた注文内容を上記プリントされた紙片から知ることができ、そのプリントされた注文内容に合わせて調理に取り掛かることができる。
【００３２】
又、調理担当者側の上記通信装置は、接客係側の無線通信装置１からの信号（注文内容等を示すデータ信号）を受信すると、そのデータ信号を確かに受信したことを示す無線通信装置１に送信する。
無線通信装置１では、送受信手段２が調理担当者側の上記通信装置からの受信を示す信号を受信すると、その旨をＣＰＵ７に信号で報知する。
【００３３】
ＣＰＵ７では、送受信手段２から受信信号があった旨の信号を受けると、電力検出手段５が機能して、演算処理部７ｂが電池電源手段４の残存電力を検出するように電圧検出器８からの電圧値とメモリ７ａに記憶されている電圧値を比較して、電圧検出器８からの電圧値がメモリ７ａに記憶されている電圧値を超えている、つまり、電池電源手段４の電圧に基づき電池電源手段４の残存電力が無線通信装置１の機能出力に要する電力に対して十分であると判断されると、電池電源手段４の残留電力が無線通信装置１の機能出力に問題がないと判断する。
【００３４】
ＣＰＵ７は、電池電源手段４の残留電力が無線通信装置１の機能出力に問題がないと判断すると、その判断から０．５秒後に演算処理部７ｂから確認手段３に高い周波数を設定するための命令信号を出力する。
周波数設定部７ｃが演算処理部７ｂから高い周波数の音声出力の命令信号を受けると、上述したと同様に、確認手段３のドライバ３ｂに４０００Ｈｚの音声を出力するための信号を送る。
【００３５】
確認手段３では、ドライバ３ｂが周波数設定部７ｃから４０００Ｈｚの音声を出力する旨の命令信号を受けると、音声出力器３ａに４０００Ｈｚの音声出力のドライブ信号を出力する。
音声出力器３ａは、ドライバ３ｂからのドライブ信号に基づいて４０００Ｈｚの音声を出力する。  
【００３６】
ここで、接客係は確認手段３から二度目の４０００Ｈｚの音声を聞いて、自分の側の無線通信装置１からの注文内容等を示すデータ信号が調理担当者側の上記通信装置に受信されたことを知ることができる。
この二度目の確認音声は、送信した上記データ信号が調理担当者側の上記通信装置に届いたことを示すもので、極めて重要である。
というのは、接客係の無線通信装置１と調理担当者側の上記通信装置が共に定位置であれば、無線通信装置１の上記通信装置に対する送信位置が決まれば、それ以降無線通信装置１からの信号は上記通信装置で必ず受信されることになる。
【００３７】
しかしながら、接客係は移動して定位位置に必ずしも居ないということから無線通信装置１からのデータ信号が調理担当者側の上記通信装置で必ず受信されるとは限らず、データ信号が受信されたことを知る上で大きな意味を持っている。
殊に、大きなドライブイン等で接客係側と調理担当者側の間で無線通信装置１と上記通信装置を用いて通信を行う場合では、例え中継手段を備えていても、接客係の移動範囲も大きくなり自動車等の信号にとっての障害物が考えられ、無線通信装置１が調理担当者側の上記通信装置に送信したデータ信号が受信されたことを知ることはより一層大きな意味を持つことになる。
【００３８】
又、接客係は確認手段３の音声出力器３ｂの出力する音声が４０００Ｈｚの高い音声であることから、電池電源手段４の電力が無線通信装置１の機能に対して十分であることを知ることができる。
【００３９】
尚、二度目の確認手段３の音声出力について、ＣＰＵ７が電池電源手段４の残留電力についての検出・判断から０．５秒後に確認手段３に高い周波数を設定するための命令信号を出力するのは、送信の際の一度目の確認の音声出力と極めて短い時間の間隔であれば、接客係は確認手段３の二回の音声出力がほぼ同時であると一回しか音声が出力されなかったと誤って受け取る誤解を避けるために間を置くためである。
他方、無線通信装置１からの送信の確認のための音声出力と調理担当者側の上記通信装置の受信の確認のための音声出力に長い時間を置くと、接客係が移動したり通信障害物の条件が変わるので、二つの音声出力が認識できる程度の時間間隔を設けることが必要である。
従って、二つの確認のための音声出力に係る０．５秒は、上述した条件に合わせて適宜選択するとよい。
【００４０】
無線通信装置１は、使用及び時間経過と共に電池電源手段４の残存電力が減少することになる。無線通信装置１が或る一定回数だけ使用される若しくは或る一定時間が経過すると、電池電源手段４の残存電力が無線通信装置１の機能の出力に要する電力として十分でない状態になる。
ここで、接客係が斯かる状態の無線通信装置１を機能させる、つまり、接客係が操作部６を操作して無線通信装置１を出力可能な状態にし、更に、操作部６の上記表示パネルを見ながらお客の注文の内容、接客係担当者番号、テーブル番号等のデータを入力する。
【００４１】
ＣＰＵ７は操作部６から上記データを調理担当者側の通信装置に送るための命令信号を受け取ると、電池電源手段４の残存電力が無線通信装置１の機能に十分であるか否かを電力検出手段５が検出するように機能する。
電圧検出器８は電池電源手段４の電圧を検出してその値を演算処理部７ｂに送ると、演算処理部７ｂは電圧検出器８からの検出値とメモリ７ａに記憶されている電圧値を比較するが、検出された値の方が記憶されている電圧値よりも大きいない場合には電池電源手段４のその時の電圧がメモリ７ａに記憶されている電圧よりも高くない場合にその高くないということに基づき電池電源手段４の残留電力が今後無線通信装置１を十分に機能出力させ続けることが難しいと判断し、演算処理部７ｂから確認手段３に低い周波数を設定するための命令信号が出力される。
【００４２】
周波数設定部７ｃは、演算処理部７ｂから低い周波数の音声出力の命令信号を受けて確認手段３のドライバ３ｂに９００Ｈｚの音声を出力するための信号を送る。
ここで、確認手段３では、ドライバ３ｂが周波数設定部７ｃから９００Ｈｚの音声を出力する旨の命令信号を受け、音声出力器３ａに９００Ｈｚの音声出力のドライブ信号を出力し、結果的に、音声出力器３ａが９００Ｈｚの音声を出力する。
【００４３】
よって、接客係は音声出力器３ａからの９００Ｈｚの音声を聞いて無線通信装置１の操作が機能したことを確認することができる。
又、接客係はその操作確認の音声が９００Ｈｚの低い音声であることから、電池電源手段４の電力が無線通信装置１の機能に対して十分とは言えず、無線通信装置１をそのまま使用を続けると十分に機能しなくなって行くことを知ることができる。
つまり、接客係は、音声出力器３ａに４０００Ｈｚの高い音声とは異なった９００Ｈｚという低い音声出力で確認の報知が行われることで、電池電源手段４の残量電力が所定以下になっている状態で無線通信装置１が出力している旨の警告を受ける。
【００４４】
他方、ＣＰＵ７の演算処理部７ｂは、周波数設定部７ｃに確認手段３の出力を機能させるための命令信号を送った後に操作部６からの注文内容等を示すデータ信号を送信するように送受信手段２に命令信号を出力し、送受信手段２は、ＣＰＵ７の演算処理部７ｂから斯かる命令信号を受けて注文内容等を示すデータ信号を調理担当者側の上記通信装置に送信する。
ここで、調理担当者側の上記通信装置は、無線通信装置１から注文内容等を示すデータ信号を受信すると、その注文内容等がプリントアウトされる。調理担当者は、上記紙片にプリントされた注文内容に合わせて、調理に取り掛かることができる。
【００４５】
調理担当者側の上記通信装置は、接客係側の無線通信装置１から信号を受信するとそのデータ信号を確かに受信したことを示す無線通信装置１に送信するので、無線通信装置１は、調理担当者側の上記通信装置からの受信を示す信号を受信してその旨をＣＰＵ７に信号で報せる。
ＣＰＵ７は、送受信手段２から受信信号があった旨の信号を受けて、演算処理部７ｂが電池電源手段４の残存電力が無線通信装置１の機能出力に要する電力に対して十分ではなく使用を続けると今後問題が生じると判断すると、その判断から０．５秒後に演算処理部７ｂから確認手段３に低い周波数を設定するための命令信号を出力する。
周波数設定部７ｃは、演算処理部７ｂから低い周波数の音声出力の命令信号を受けて確認手段３のドライバ３ｂに９００Ｈｚの音声を出力するための信号を送る。
【００４６】
確認手段３は、ドライバ３ｂが周波数設定部７ｃから９００Ｈｚの音声を出力する旨の命令信号を受けて音声出力器３ａに９００Ｈｚの音声出力のドライブ信号を出力し、音声出力器３ａは、ドライバ３ｂからのドライブ信号に基づき９００Ｈｚの音声を出力する。
ここで、接客係は、確認手段３から二度目の９００Ｈｚの音声を聞いて、接客係の側の無線通信装置１からの注文内容等を示すデータ信号が調理担当者側の上記通信装置に受信されたことを知ることができると共に、この二度目の確認手段３からの音声が９００Ｈｚの低い音声であって電池電源手段４の電力が無線通信装置１の機能に対して十分ではないということを知ることができる。
ここで、接客係は、電池電源手段４の電池を電力が十分なものに交換して、無線通信装置１の使用を続けることができる。  
【００４７】
無線通信装置１は、上述したように、データ信号を送信する際にその旨を確認手段３によって確認することができるが、その確認手段３の出力によって電池電源手段４の電力が無線通信装置１の機能出力に十分であるか否かを知ることが可能で、よって、電池電源手段４の残存電力を検出する手段５の構成が簡便であって、且つ、その残存電力の検出の値が例えば確認用ＬＥＤの駆動電圧といった狭い範囲に限定されず、更に、確認手段３の出力の内容が異なることから電池電源手段４の残存電力を報知されることより省エネルギータイプになっている。
つまり、無線通信装置１は、電池電源手段４の電力が無線通信装置１の機能出力に十分であるか否かを報せるために特別な電力を必要とはしていない。
【００４８】
無線通信装置１では、電池電源手段４の残存電力が無線通信装置１の機能に十分か否かを確認手段３からの４０００Ｈｚの音声と９００Ｈｚの音声で識別できるように構成しているが、音声の周波数は適宜任意に選択設定することが可能である。
【００４９】
又、無線通信装置１では、電池電源手段４の残存電力が無線通信装置１の機能に十分か否かを二通りに分けて確認手段３からの４０００Ｈｚの音声と９００Ｈｚの音声で識別できるように構成しているが、電池の放電特性に基づき、電池電源手段４の残存電力が無線通信装置１の機能に十分である、残存電力は大きく減少しているが無線通信装置１が暫く機能し続けることができる、残存電力は十分に大きく減少しておりが無線通信装置１の機能が保証できないといったように、電池電源手段４の残存電力を三段階に分け且つそれぞれに対応させて確認手段３が異なった出力の仕方をするという構成であってもよい。
【００５０】
無線通信装置１では、電池電源手段４の残存電力を報せる確認手段３の出力形態は音声であるが、ランプ光による発光、例えば互いに色相の異なるＬＥＤ発光手段であってもよい。
又、確認手段３の出力形態は、音声とランプ光との組み合わせであってもよい。
【００５１】
無線通信装置１は、接客係から調理担当者側に注文内容のデータ信号を送るということに用いられているが、救助用の送信装置、病院におけるナース・コール用の送信装置等にも使用することができる。
【００５２】
又、無線通信装置１はデータ信号を無線によって送る構成であるが、データ信号を有線で送る構成であってもよい。
【図面の簡単な説明】
【００５３】
【図１】この発明の実施の形態例の無線通信装置の要部機能の構成を説明するブロック図である。
【図２】図１に示す実施の形態例の無線通信装置の全体機能の構成を説明するブロック図である。
【符号の説明】
【００５４】
１            ：  送信装置としての無線通信装置
２            ：  送受信手段
３            ：  確認手段
３ａ          ：  音声出力器
３ｂ          ：  ドライバ
４            ：  電池電源手段
５            ：  電力検出手段
６            ：  操作部
７            ：  ＣＰＵ
７ａ          ：  メモリ
７ｂ          ：  演算処理部
７ｃ          ：  周波数設定部
８            ：  電圧検出器
【図１】
2005227185.tif 000003
【図２】
2005227185.tif 000004